(57)【要約】【課題】外観が優れ、また、十分な強度を有する組立容易の仕切板を提供する。【解決手段】両側部に仕切片３，４が形成されたブランク本体部２ａと、仕切片３，４に設けられた主折曲線とを有する組立式の仕切板であって、仕切片３，４を山折線３ａ，４ａを隔て相互に接近する方向に折り重ねたときに対向する仕切片３，４の裏面には、この折り重ねられた仕切片３，４を相互に接合する粘着材Ｔが設けられていることを特徴とする。また、仕切板は、主折曲線に沿い、且つ主折曲線に対してブランクの内側に形成された第１副折曲線を有する。【選択図】  図２
0003106518.tif 000002
【実用新案登録請求の範囲】
【請求項１】
両側部に仕切片が形成されたブランクと、前記仕切片に設けられた主折曲線とを有する組立式の仕切板であって、
前記仕切片を前記主折曲線を隔て相互に接近する方向に折り重ねたときに対向する仕切片の裏面には、この折り重ねられた仕切片を相互に接合する接合部が設けられていることを特徴とする仕切板。
【請求項２】
前記主折曲線に沿い、且つ主折曲線に対してブランクの内側に形成された第１副折曲線を有し、さらに前記ブランクの両側部から前記主折曲線にかけての距離は、前記主折曲線から前記第１副折曲線にかけての距離に較べて長く設定されていることを特徴とする請求項１に記載の仕切板。
【請求項３】
一方の第１副折曲線の端部と、対応する他方の第１副折曲線の端部とを結ぶ第２副折曲線を備え、
前記主折曲線の内側に位置した仕切片には、前記第２副折曲線とほぼ一直線に切込線が形成されていることを特徴とする請求項２に記載の仕切板。
【請求項４】
前記第２副折曲線は、非切断部分と切断部分とを有し、前記切断部分は、前記第１副折曲線と前記第２副折曲線に囲まれた区画に張り出して切り込まれていることを特徴とする請求項３に記載の仕切板。
【請求項５】
前記切断部分は、物品の収容時において、この物品と前記第２副折曲線との接触部分を避けた位置に形成されていることを特徴とする請求項４に記載の仕切板。
【考案の詳細な説明】
【技術分野】
【０００１】
本考案は、箱体内を区画する組立式の仕切板であって、より詳細には、ブランク単板を組み上げて形成可能な仕切板に関する。
【背景技術】
【０００２】
この種の仕切として、例えば、下記特許文献に示す紙製組立仕切が知られている。
この紙製組立仕切は、１枚の紙製シートからなり、組立時には、このシートの前後方向に延びる立体的な縦仕切が形成される。
【０００３】
より詳しくは、シートに形成された山折部を介して連設した２枚の仕切片を重ね合わせて縦仕切が形成されている。また、仕切片の端部には、この２枚の仕切片の自立固定に必要な差込み舌片と、組立時にこの差込み舌片が差し込まれるロック孔が設けられている。そして、差込み舌片をロック孔に圧入係合させることで、各仕切片が重なり合った状態で自立する。
【特許文献１】特開２００２−１６０７２７号
【考案の開示】
【考案が解決しようとする課題】
【０００４】
ところで、この種の仕切板は、贈答品などを体裁良く梱包する機能の他、輸送時の衝撃や振動にも十分耐え得る強度が必要になる。また、平面状に展開された状態から速やかに組み立てることができるものが望まれる。
【０００５】
この点、上記の紙製組立仕切板は、一枚の紙製シートを折り曲げて仕切片を形成できるものの、仕切片の自立にあたっては、この仕切片に形成された差込み舌片を各所においてロック孔に圧入するといった煩雑な作業を要する。また、この圧入作業に伴い、シートに歪みやシワが生じるなどの虞もある。
【０００６】
また、収容された物品と仕切片の表面に突出した差込み舌片とが接触することで差込み舌片がロック孔から外れることもあり、強度の面でも改善の余地があった。また、差込み舌片とロック孔との係合によって仕切片を自立させるため、差込み舌片とロック孔との係合が浅いときには、仕切片の裏面に隙間が生じ、箱体への組み込みが煩雑になるなどの問題もある。
【０００７】
本考案は、このような点を考慮してなされたもので、外観が優れ、また、十分な強度を有する組立容易の仕切板を提供することを課題とする。
【課題を解決するための手段】
【０００８】
上記した技術的課題を解決するため、本考案では以下の構成とした。
すなわち、本考案は、両側部に仕切片が形成されたブランクと、前記仕切片に設けられた主折曲線とを有する組立式の仕切板であって、前記仕切片を前記主折曲線を隔て相互に接近する方向に折り重ねたときに対向する仕切片の裏面には、この折り重ねられた仕切片を相互に接合する接合部が設けられていることを特徴とする。
【０００９】
このように構成された本考案の仕切板は、両側部に仕切片を備えたブランクを組み上げて形成される。また、各仕切片には、主折曲線が形成されている。また、仕切片を主折曲線を隔てて相互に接近する方向に折り重ねたときに対向する各仕切片の裏面には接合部が設けられており、この接合部の接合によって各仕切片が自立して仕切板を形成する。
【００１０】
つまり、本考案では、仕切板の内側に接合部が隠れるため、物品の収容時には、この物品と接合部との接触が回避される。よって、輸送時の衝撃や振動に対して十分な強度を有する仕切板を得ることができる。また、接合部が外部に露出しないため、仕切板の外観や物品収容時の体裁にも優れる。
【００１１】
なお、上記で接合部とは、主折曲線を隔てて折り重ねた仕切片を相互に接合することができれば足り、例えば、接着や粘着による接合、また、突出片や突起の組み合わせを利用した接合など、種々の接合方法を採用することができる。
【００１２】
また、前記主折曲線に沿い、且つ主折曲線に対してブランクの内側に形成された第１副折曲線を有し、さらに前記ブランクの両側から前記主折曲線にかけての距離は、前記主折曲線から前記第１副折曲線にかけての距離に較べて長く設定されている構成であってもよい。
【００１３】
この構成によれば、主折曲線の内側に沿って第１副折曲線が設けられている。よって、主折曲線および第１副折曲線を相反する方向に折り曲げると、一方の第１副折曲線と他方の第１副折曲線との間に物品の載置部であるステージが形成される。また、ブランクの両側から主折曲線にかけての距離は、主折曲線から副折曲線にかけての距離に較べて長く設定されているため、ステージの裏面にはその距離差に等しい高さの空隙が確保される。
【００１４】
このため箱体に強い衝撃が加わった場合においても、このステージの裏面に形成された空隙によって衝撃を吸収することができる。また、ブランクの両側から主折曲線にかけての距離と、主折曲線から第１副折曲線にかけての距離を適宜設定することで、箱体の高さ（奥行き）と異なる厚みの物品を体裁良く箱体に納めることができる。
【００１５】
また、一方の第１副折曲線の端部と、対応する他方の第１副折曲線の端部とを結ぶ第２副折曲線を備え、前記主折曲線の内側に位置した仕切片には、前記第２副折曲線とほぼ一直線に切込線が形成されている構成であってもよい。
【００１６】
この構成では、一方の第１副折曲線の端部と、対応する他方の第１副折曲線の端部とを結ぶ第２副折曲線を備え、この第２副折曲線を折り曲げてステージの端部を立ち上げると、第１副折曲線に連続した新たな仕切板（横仕切）がステージに沿って形成される。また、この仕切板は、主折曲線の内側に連設した仕切片の切込線に沿って立設するため、この切込線に仕切片の側部が係止されて自立することになる。なお、上記でほぼ一直線にとは、切込線に仕切片の側部が係止し得る範囲で適宜設定される。
【００１７】
また、前記第２副折曲線は、非切断部分と切断部分とを有し、前記切断部分は、前記第１副折曲線と前記第２副折曲線に囲まれた区画に張り出して切り込まれている構成であってもよい。
【００１８】
この構成では、非切断部分と切断部分で第２副折曲線が構成されており、第２副折曲線に加わる応力はこの切断部分によって分散される。よって、第２副折曲線の中央付近の応力に起因した仕切板の挫屈を抑制することができる。
【００１９】
また、前記切断部分は、物品の収容時において、この物品と前記第２副折曲線との接触部分を避けた位置に形成されている構成であってもよい。
【００２０】
この構成では、物品の収容時に於いてこの物品と第２副折曲線との接触部分を避けた位置に切断部分が位置決めされている。このため、物品の端部は第２副折曲線における非切
断部分を介して仕切板に支持されることになり、物品の重みによる第２副折曲線近傍での変形が抑制され、さらに非切断部分に作用する荷重が隣接する切断部分に効率良く分散されることになる。
【００２１】
なお、上記した課題を解決するための手段に記載の内容は、本考案の課題や技術的思想を逸脱しない範囲で可能な限り組み合わせることができる。
【考案の効果】
【００２２】
以上のように本考案によれば、外観が優れ、また、十分な強度を有する組立容易の仕切板を提供することができる。
【考案を実施するための最良の形態】
【００２３】
以下、図面を参照して本考案の好適な実施の形態を説明する。
また、以下の説明では、図２に示すブランク２の展開図においてその上方を組立完成時の奥手側とし、図２の下方を組立完成時の手前側として説明する。
【００２４】
本実施の形態に示す仕切板１は、平面状に展開可能な１枚のブランク２からなり、図２に示すように、その各所には山折線、谷折線、切断線等の各種加工線が設けられている。
【００２５】
ブランク２は、段ボール、樹脂シート、厚紙等の剛性を有するシート材からなり、両側部に略短冊状の仕切片３，４を備えたブランク本体部２ａと、各仕切片３，４に連設した底用仕切片５，６とを備えて構成されている。
【００２６】
ブランク本体部２ａは、ブランク本体部２ａの両側縁に対して平行且つ距離ｄ１を有する位置に設けられた山折線３ａ，４ａ（主折曲線）と、この山折線３ａ，４ａのさらに内側に距離ｄ２（ｄ１＞ｄ２）をあけて平行に設けられた谷折線３ｂ，４ｂ（第１副折曲線）とを備え、これら山折線３ａ，４ａと谷折線３ｂ，４ｂをそれぞれ折り曲げることで、ブランク本体部２ａの前後方向に延びる縦仕切板１０とステージ２０がブランク本体部２ａに形成される（図３参照）。
【００２７】
より詳しくは、仕切片３，３および仕切片４，４をそれぞれ山折線３ａ，４ａを隔て相互に接近する方向に折り曲げることで、各仕切片３，４がその各々に於いて重なり合い、平面状のブランク２に十分な厚さを有する縦仕切板１０をブランク２の両側方に形成することとなる。
【００２８】
また、重なり合う仕切片３，３および仕切片４，４の裏面には、粘着材Ｔが設けられており、山折線３ａ，４ａを折り曲げた時には、この粘着材Ｔによって両者が接合される。つまり、仕切片３，４の個々をそれぞれ山折線３ａ，４ａを隔て相互に接近する方向に折り重ねたときに対向する仕切片３，４の裏面に粘着材Ｔが設けられている。
【００２９】
続いて、谷折線３ｂ，４ｂに挟まれるステージ２０について説明すると、このステージ２０は、ブランク本体部２ａの両側縁から山折線３ａ，４ａにかけての距離ｄ１と、山折線３ａ，４ａから谷折線３ｂ，４ｂにかけての距離ｄ２が相違することから、その裏面には、距離差（ｄ１−ｄ２）に等しい高さの空隙３０が形成される（図３参照）。このため図１に示すように仕切板１００を外箱２００（以下、外箱と称する）の内部に納めた状態では、このステージ２０と外箱２００の底面部との間に、隙間が形成されることになる。
【００３０】
また、ステージ２０の手間側並びに奥手側には、横仕切板４０が形成されている。
この横仕切板４０は、一方の谷折線３ｂの端部と、対応する他方の谷折線４ｂの端部とを結ぶ谷折線２１，２２（第２副折曲線）を谷折りすることでステージ２０上に立ち上が
る。
【００３１】
なお、ここで横仕切板４０の自立について説明すると、本実施の形態では、上記した仕切片３，４のうち、山折線３ａ，４ａの内側に位置した仕切片３ｆ，４ｆに切込線３ｃ，４ｃを形成しており、組立時にこの切込線３ｃ，４ｃと横仕切板４０の側縁部分とを係止して、横仕切板４０を自立させている。
【００３２】
より詳しくは、図２および図３に示すように、谷折線２１，２２とほぼ同一直線上に切込線３ｃ，４ｃを形成し、さらに、山折線３ａ，４ａの折り代Ｗを横仕切板４０の背面側において幅広に形成し、切込線３ｃ，４ｃの端部が横仕切板４０の背面側に回り込むようにしている。つまり、横仕切板４０の側部において、この横仕切板４０の背面側が、縦仕切板１０に形成された切込線３ｃ，４ｃの縁部によって支持されている。
【００３３】
また、谷折線２１，２２について詳述すると、谷折線２１，２２は切断部分２３と非切断部分２４からなる非連続切断線であり、切断部分２３は、ステージ２０を形成する区画に張り出して切り込まれている。より詳しくは、図２に示すように波形をなし、その膨出部分Ｒがステージ２０の区画に張り出して切り込まれている。
【００３４】
また、切断部分２３は、図５に示すように、物品１０１の収容時に於いてこの物品１０１と谷折線２１，２２との接触部分Ｘを避けた位置に形成されており、物品１０１の端部は谷折線２１，２２の非切断部分２４を介して横仕切板４０および縦仕切板１０によって支持されることになる。
【００３５】
続いて、底用仕切片５，６について説明する。
底用仕切片５，６は、縦仕切板１０と外箱２００の側壁２００ａとの間を補う補強部材を兼ね、この底用仕切片５，６を側壁２００ａと縦仕切板１０との間に介在させることで、外箱２００に対する本仕切板１００の横ずれを抑制している。また、底用仕切片５，６には、この底用仕切片５，６を横切る谷折線５ａ、６ａが設けられており、この谷折線５ａ，６ａを折り曲げて底用仕切片５，６の端部を立ち上げると、外箱２００の側壁２００ａと縦仕切板１０との間に補強を兼ねた横仕切板６０が形成されることなる。
【００３６】
このように本実施の形態に示す仕切板１は、縦仕切板１０を形成する仕切片３，３および仕切片４，４が縦仕切板１０の内側に相当する箇所で接合されるため、物品１０１の収容時には、この物品１０１と接合部分との接触が回避される。よって、輸送時の衝撃や振動に対して十分な強度を有する仕切板１を得ることができる。また、接合部分が外部に露出しないため、仕切板１の外観や物品収容時の体裁も優れる。また、仕切板１を安価に形成することができる。
【００３７】
本実施の形態では、仕切片３，４の接合にあたり、粘着材Ｔを用いたが、必ずしもその必要はなく、突出片や突起等の組み合わせを利用して接合することもできる。なお、仕切片３，４は、予め接合して仕切板１を半製品として保管し、箱体２００を使用する際に仕切板１を完全に組み立てるようにすることができる。
【００３８】
また、ブランク本体部２ａの両側から山折線３ａ，４ａにかけての距離ｄ１は、山折線３ａ，４ａから谷折線３ｂ，４ｂにかけての距離ｄ２に較べて長く設定されているため、ステージ２０の裏面にはその距離差に等しい高さの空隙３０が形成される。このため外箱２００に強い衝撃が加わった場合においても、このステージ２０の裏面に形成された空隙３０によって衝撃を吸収することができる。
【００３９】
また、ブランク本体部２ａの両側から山折線３ａ，４ａにかけての距離ｄ１と、山折線
３ａ，４ａから谷折線３ｂ，４ｂにかけての距離を適宜設定することで、外箱２００の奥行きと異なる高さの物品１０１を体裁良く外箱２００に納めることができる。
【００４０】
また、一方の谷折線３ｂ，４ｂの端部と、対応する他方の谷折線３ｂ，４ｂの端部とを結ぶ谷折線２１，２２の折り曲げによって形成される横仕切板６０は、縦仕切板１０に形成される切込線３ｃ，４ｃの縁部によって支持されている。よって、縦仕切板１０の組立作業と共に横仕切板６０をワンアクションで自立させることができる。
【００４１】
また、谷折線２１，２２は、非切断部分２４と切断部分２３で構成されているため、谷折線２１，２２に加わる応力はこの複数の切断部分２３によって分散される。よって、谷折線２１，２２の中央付近の応力に起因した横仕切板６０の挫屈を抑制することもできる。
【００４２】
また、物品１０１の収容時に於いてこの物品１０１と谷折線２１，２２との接触部分を避けた位置に切断部分２３が位置決めされているため、物品１０１の端部は谷折線２１，２２における非切断部分２４を介して横仕切板６０および縦仕切板１０に支持されることになり、物品１０１の重みによる谷折線２１，２２近傍での変形が抑制される。また、非切断部分２４に作用する荷重が隣接する切断部分２３に効率良く分散され、これらの相乗効果によってステージ２０の撓みを効率よく抑えることができる。
【００４３】
なお、上記した実施の形態は、あくまでも本考案の一実施例であり、その詳細は各種仕様に応じて適宜変更可能である。
例えば、図２および図４に示すように、ステージ２０の一部に逆Ｔ字形の切り起こし８０を設け、この逆Ｔ字形の切り起こし８０をステージ２０上に立ち上げると、ステージ２０をさらに複数の区画に区切ることができる。
【００４４】
また、上記した実施の形態ではブランク本体部２ａの両側に底用仕切片５，６を連設したが、必ずしもその必要はなく、図６に示すように底用仕切片５，６を省いたブランク２ｂを提供することもできる。また、図６に示すブランク２ｂでは、その両側部に設けられた仕切片３，４の内側に仕切片３，４とほぼ同等の面積を有する補助仕切片７，８を設けており、この補助仕切片７，８をそれぞれ対応する仕切片３，４側に折り込むことで、仕切片３，４の実質的な厚みを増やしている。よって、この例では、仕切片３，４に形成されている切込線３ｃ、４ｃの段差を大きく確保でき、以て横仕切板４０をより確実に自立させることが可能になる。
【図面の簡単な説明】
【００４５】
【図１】本考案の実施の形態に示す仕切板を箱体内部に収めた状態を示す図。
【図２】本実施の形態に示す組立式仕切板の展開図。
【図３】本実施の形態に示す組立式仕切板の組立完成図。
【図４】物品をステージ上に載置した状態を示す図。
【図５】ステージの表面と物品の接触状態を示す図。
【図６】底用仕切片を省略したブランクの展開図。
【符号の説明】
【００４６】
１  仕切板
２  ブランク
２ａ  ブランク本体部
２ｂ  ブランク
３  仕切片
３ａ  山折線
３ｂ  谷折線
３ｃ  切込線
３ｆ  仕切片
４  仕切片
４ａ  山折線
４ｂ  谷折線
４ｃ  切込線
４ｆ  仕切片
５  底用仕切片
５ａ  谷折線
６  底用仕切片
６ａ  谷折線
１０  縦仕切板
２０  ステージ
２１  谷折線
２２  谷折線
２３  切断部分
２４  非切断部分
３０  空隙
４０  横仕切板
６０  横仕切板
８０  逆Ｔ字形の切り起こし
１００  仕切板
１０１  物品
２００  箱体
２００  箱体の側壁
Ｒ  膨出部分
Ｔ  粘着材
Ｗ  折り代
Ｘ  接触部分
【図１】
0003106518.tif 000003
【図２】
0003106518.tif 000004
【図３】
0003106518.tif 000005
【図４】
0003106518.tif 000006
【図５】
0003106518.tif 000007
【図６】
0003106518.tif 000008